(57)【要約】【課題】  多機能周辺装置において、あるモジュールが開かれた時に他のモジュールを自動的にロックするロック装置を有する多機能周辺装置を提供する。【解決手段】  本発明の多機能周辺装置においては、トリガー部品が第１モジュールに固定され、第２モジュールに差し入れられる。係合部材が第２モジュールに配設され、第２モジュールから突出する。作動部品と連結部品が第２モジュールに配設される。連結部品は、作動部品の接続される一端と、トリガー部品の近くに配設される他端を有する。３つのモジュールが積み重ねられた時、トリガー部品は係合部材を押圧し、作動部品は第３モジュールを押圧する。第１モジュールが回転させられる時、トリガー部品は係合部材から離れて、係合部材が第３モジュールと係合できるようにする。第２モジュールが回転させられる時、作動部品は連結部品をトリガー部品と係合させる。【選択図】          図１
2008167392.tif 000002
【特許請求の範囲】
【請求項１】
第１モジュールと、
前記第１モジュールの下に配設され前記第１モジュールと回動可能に結合する第２モジュールと、
前記第１モジュールに固定され前記第２モジュールに差し込まれるトリガー部品と、
前記第２モジュールに配設され前記第２モジュールの下から一端が突出する係合部材と、
前記第２モジュールに配設される作動部品と、
前記第２モジュールに配設され一端が前記作動部品に連結され他端が前記トリガー部品の近くに配設される連結部品と、
前記第２モジュールの下に配設され前記第２モジュールと回動可能に結合する第３モジュールとを有し、
前記第１モジュールが前記第２モジュールに当接し且つ前記第２モジュールが前記第３モジュールに当接する時、前記トリガー部品が前記係合部材を押圧し前記作動部品が前記第３モジュールを押圧し、
前記第１モジュールが前記第２モジュールに対して回転する時、前記トリガー部品が前記第１モジュールとともに前記係合部材から離れることにより前記係合部材の前記一端が前記第３モジュールに係合して前記第２モジュールが前記第３モジュールとロックし、
前記第２モジュールが前記第３モジュールに対して回転する時、前記作動部品が前記第２モジュールとともに前記第３モジュールから離れ前記連結部品が前記作動部品によって前記トリガー部品と係合させられることにより前記第２モジュールが前記第１モジュールとロックすることを特徴とする多機能周辺装置。
【請求項２】
前記係合部材が回動軸を有し、
前記係合部材の他端が前記回動軸に対して回転することができ、
前記トリガー部品が前記第１モジュールとともに前記係合部材の前記他端から離れる時、前記係合部材の前記一端が回転し前記第３モジュールと係合することを特徴とする請求項１に記載の多機能周辺装置。
【請求項３】
前記多機能周辺装置は前記係合部材と前記第２モジュールの内側の壁に接続されるバネを有し、
前記バネは前記係合部材を引いて前記第３モジュールと係合させる牽引力を提供することを特徴とする請求項２に記載の多機能周辺装置。
【請求項４】
前記作動部品は回動軸を有し、
前記作動部品の一端と他端は前記回動軸に対して回転することができ、
前記作動部品が前記第２モジュールとともに前記第３モジュールから離れる時、前記作動部品の前記一端は回転して第２モジュールから差し出され前記作動部品の前記他端は回転して前記連結部品を前記トリガー部品に係合させることを特徴とする請求項１に記載の多機能周辺装置。
【請求項５】
前記多機能周辺装置は前記作動部品と前記第２モジュールに接続されるバネを有し、
前記バネは前記作動部品を引いて前記作動部品の前記一端を前記第２モジュールから突出させる牽引力を提供することを特徴とする請求項４に記載の多機能周辺装置。
【請求項６】
前記連結部品の前記一端は摺動溝を有し、
前記作動部品の前記他端は前記摺動溝に沿って摺動することを特徴とする請求項４に記載の多機能周辺装置。
【請求項７】
前記第２モジュールは開口部を有し、前記トリガー部品は扇形隆起を有し、
前記第１モジュールが前記第２モジュールに当接する時、前記トリガー部品の前記扇形隆起が前記開口部を貫いて前記第２モジュールに差し込まれ、
前記第１モジュールが前記第２モジュールに対して回転する時、前記扇形隆起の一部が前記第１モジュールと前記第２モジュールの間で露出し前記扇形隆起のその他の部分が前記第２モジュールに留まり前記開口部を塞ぐことを特徴とする請求項１に記載の多機能周辺装置。
【請求項８】
前記第２モジュールは開口部を有し、
前記トリガー部品は突起部を有し、
前記係合部材は前記係合部材の前記他端に封鎖板を有し、
前記封鎖板は前記開口部と同じ形であり、
前記第１モジュールが前記第２モジュールに当接する時、前記トリガー部品の前記突起部は前記開口部を貫き前記係合部材の前記封鎖板を押圧し、
前記第１モジュールが前記第２モジュールに対して回転する時、前記トリガー部品は前記第１モジュールとともに前記係合部材から離れ前記係合部材の前記封鎖板は前記開口部の底部に接することを特徴とする請求項１に記載の多機能周辺装置。
【請求項９】
前記係合部材の前記一端が鉤であることを特徴とする請求項１に記載の多機能周辺装置。
【請求項１０】
前記多機能周辺装置は、前記第３モジュールに配設される係合部を有し、
前記係合部は前記係合部材と係合することを特徴とする請求項１に記載の多機能周辺装置。
【請求項１１】
前記第１モジュールはＡＤＦであり、
前記第２モジュールはスキャナーであり、
前記第３モジュールは本体であることを特徴とする請求項１に記載の多機能周辺装置。
【発明の詳細な説明】
【技術分野】
【０００１】
本発明は、多機能周辺装置に関し、特に、ロック装置を有する多機能周辺装置に関する。
【背景技術】
【０００２】
米国特許第７１９６８２７号によれば、多機能周辺装置は、自動原稿送り装置（ＡＤＦ）、フラットベッドスキャナ、及び印刷機を有する。使用上の便宜の為、従来の多機能周辺装置には多くのカバーを持ち上げる設計がある。例えば、フラットベッドスキャナーは厚く重いＡＤＦと通常は一体となる可動上部カバーを有し、使用者はフラットベッドにスキャンされるべき書類を置く前に、上部カバーを開けなければならない。更に、印刷機は多機能周辺装置の下に通常は配設されるので、使用者は、印刷機のカーボンの粉またはインクを換えるために、ＡＤＦとフラットベッドスキャナーを開けるか持ち上げなければならない。この時、フラットベッドスキャナーを覆う重いＡＤＦは、スキャナーと共に傾き、容易にスキャナーに対して開いてしまったり、スキャナーから落ちてしまったりさえする。
【０００３】
しかしながら、小型化と製造コストへの配慮のために、現在の多機能周辺装置には、使用者の操作上の安全と便宜を確実にする安全機構が無い。従って、使用者は、使用者自身の操作上の不注意により、怪我をしたり、多機能周辺装置を損傷したりするかもしれない。スキャナー、ファクシミリ、及びＡＤＦの周辺装置の機能を有する複合製品の需要が増加するに伴い、機能間の安全機構が極めて重要になってきている。
【発明の開示】
【発明が解決しようとする課題】
【０００４】
本発明は、斯かる実情に鑑み、単純な可動部品から成り、使用者の運用上の安全と便宜を確実にする安全機構として働き、操作上の不注意により発生する使用者の危険と機械の損傷を防ぐロック装置を有する多機能周辺装置を提供しようとするものである。
【課題を解決するための手段】
【０００５】
本発明の第１の態様によれば、ロック装置が提供される。ロック装置は、少なくともＡＤＦ、スキャナー、及び本体を有する多機能周辺装置に配設される。スキャナーは本体の上に配設され本体に回動可能に結合し、ＡＤＦはスキャナーの上に配設されスキャナーに回動可能に結合し、ロック装置はトリガー部品、係合部材、作動部品、及び連結部品を有する。トリガー部品は、ＡＤＦに固定され、スキャナーに差し込まれる。係合部材は、スキャナーに配設され、一端がスキャナーの下より突出する。作動部品は、スキャナーに配設される。連結部品は、スキャナーに配設され、作動部品に接続される一端と、トリガー部品の近くに配設される他端を有する。ＡＤＦがスキャナーに接するように配置され、且つスキャナーが本体に接するように配置される時、トリガー部品は係合部材を押圧し、作動部品は本体を押圧する。ＡＤＦがスキャナーに対して回転させられる時、トリガー部品はＡＤＦとともに係合部材から離れることにより、係合部材の一端が本体に係合してスキャナーが本体とロックする。スキャナーが本体に対して回転させられる時、作動部品はスキャナーとともに本体から離れ、連結部品は作動部品によってトリガー部品に係合させられることにより、スキャナーはＡＤＦとロックする。
【０００６】
本発明の第２の態様によれば、多機能周辺装置が提供される。多機能周辺装置は、第１モジュール、第２モジュール、トリガー部品、係合部材、作動部品、連結部品、及び第３モジュールを有する。第２モジュールは、第１モジュールの下に配設され、第１モジュールと回動可能に結合する。トリガー部品は、第１モジュールに固定され、第２モジュールに差し込まれる。係合部材は、第２モジュールに配設され、一端が第２モジュールの下から突出している。作動部品は、第２モジュールに配設される。連結部品は、第２モジュールに配設され、作動部品に接続される一端と、トリガー部品の近くに配設される他端を有する。第３モジュールは、第２モジュールの下に配設され、第２モジュールに回動可能に結合する。第１モジュールが第２モジュールに対して回転させられる時、トリガー部品は第１モジュールとともに係合部材から離れることにより、係合部材の一端が第３モジュールに係合して第２モジュールが第３モジュールとロックする。第２モジュールが第３モジュールに対して回転させられる時、作動部品は第２モジュールとともに本体から離れ、連結部品は作動部品によってトリガー部品に係合させられることにより、第２モジュールは第１モジュールとロックする。
【０００７】
本発明の第３の態様によれば、多機能周辺装置の運用方法が提供される。多機能周辺装置は、ＡＤＦ、スキャナー、本体、トリガー部品、係合部材、作動部品、及び連結部品を有する。スキャナーは本体の上に配設され本体に回動可能に結合し、ＡＤＦはスキャナーの上に配設されスキャナーに回動可能に結合し、トリガー部品はＡＤＦに固定されスキャナーに差し込まれ、係合部材はスキャナーに配設され一端がスキャナーの下より突出し、作動部品はスキャナーに配設され、連結部品はスキャナーに配設され作動部品に接続される一端とトリガー部品の近くに配設される他端を有する。運用方法は、スキャナーを本体に接するように配置しＡＤＦをスキャナーに接するように配置することによりトリガー部品を係合部材に押圧させ作動部品を本体に押圧させること、ＡＤＦをスキャナーに対して回転させてトリガー部品を係合部材から離すことにより係合部材の一端が本体に係合しスキャナーを本体とロックさせること、スキャナーを本体に対して回転させて作動部品を本体から離すことにより連結部品を作動部品によってトリガー部品に係合させスキャナーをＡＤＦとロックさせることを含む。
【発明の効果】
【０００８】
本発明においては、単純な可動部品から成り、使用者の運用上の安全と便宜を確実にする安全機構として働き、操作上の不注意により発生する使用者の危険と機械の損傷を防ぐロック装置を有する多機能周辺装置を提供することができる。
【発明を実施するための最良の形態】
【０００９】
本発明は、望ましいものの限定されることはない実施例についての以下の詳細な記述から明らかとなるであろう。以下の記述は、添付した図面を参照してなされる。
【００１０】
図１は、順に積置される第１モジュール、第２モジュール、及び第３モジュールを有する本発明の好適な実施例の多機能周辺装置の側面図である。本実施例の多機能周辺装置１００は、第１モジュール１２０、第２モジュール１４０、第３モジュール１６０、トリガー部品１３０、係合部材１５０、作動部品１７０、及び連結部品１８０を有する。例えば、第１モジュール１２０はＡＤＦであり、第２モジュール１４０はスキャナーであり、第３モジュール１６０は本体である。第２モジュール１４０は、第１モジュール１２０の下に配設され、第１モジュール１２０と回動可能に結合している。第３モジュール１６０は、第２モジュール１４０の下に配設され、第２モジュール１４０と回動可能に結合している。トリガー部品１３０、係合部材１５０、作動部品１７０、及び連結部品１８０を含む移動部品は、第１モジュール１２０、第２モジュール１４０、及び第３モジュール１６０の相対的な接続状態に従って接続関係を有する。下記説明では、３つのモジュールが一体となった多機能周辺装置の状態がまず図１に示される。
【００１１】
トリガー部品１３０は、第１モジュール１２０に固定され、第２モジュールの２つの開口部（図３の開口部１４１及び１４２）を介して第２モジュール１４０の中へ差し込まれる。トリガー部品１３０は、突起部１３２と扇形隆起１３４を含んでいることが望ましい。扇形隆起１３４は、２つの開口部のうちの１つを貫いて、第２モジュール１４０の中に差し込まれる。突起部１３２は、他方の開口部を貫いて、第２モジュール１４０の中に差し込まれ、係合部材１５０を押圧する。
【００１２】
係合部材１５０は、第２モジュール１４０に配設され、第２モジュールの下部から突き出る端部１５２を有する。係合部材１５０は回動軸１５４を有し、係合部材１５０の２つの端部１５１及び１５２は回動軸１５４に対して回転することができる。細部についていえば、多機能周辺装置１００は更に、係合部材１５０と第２モジュール１４０の内側の壁に接続されるバネ１５６を有し、バネ１５６は、係合部材１５０を引いて例えば時計回りなどの方向に回転させる牽引力を提供する。図１の係合部材１５０は、突起部１３２の押圧のために回転しない。更に、係合部材１５０は、係合部材１５０の端部１５１に配設される封鎖板１５８を有することが望ましい。封鎖板１５８は開口部１４１と同じ形状であり、トリガー部品１３０の突起部１３２が、開口部１４１を貫き、係合部材１５０の封鎖板１５８を押圧する。係合部材１５０の端部１５２は、第３モジュール１６０と係合する鉤であることが望ましい。
【００１３】
作動部品１７０は、第２モジュール１４０に配設され、回動軸１７４を有する。作動部品１７０の２つの端部１７１及び１７２は、回動軸１７４に対して回転することができる。細部についていえば、多機能周辺装置１００は更に、作動部品１７０と第２モジュール１４０に接続されるバネ１７６を有し、バネ１７６は、作動部品１７０を例えば時計回りなどの方向に回転させる牽引力を提供する。図１では、作動部品の端部１７１が第３モジュール１６０を押圧しているので、作動部品１７０は回転しない。
【００１４】
連結部品１８０は、第２モジュール１４０に配設される。連結部品１８０は、作動部品１７０に接続されている一端１８１と、トリガー部品１３０の近く配設される他端１８２を有する。連結部品１８０の一端１８１は摺動溝を有し、作動部品１７０の他端１７２は摺動溝に接続されている。
【００１５】
上記の如く、第１モジュール１２０が第２モジュール１４０に接するように配置され、第２モジュール１４０が第３モジュール１６０に接するように配置される時、トリガー部品１３０が係合部材１５０を押圧し、作動部品１７０が第３モジュール１６０を押圧する。
【００１６】
本実施例の第１モジュール１２０を開ける過程において、第２モジュール１４０は第３モジュール１６０としっかりとロックすることができる。図２は、第１モジュール１２０が第２モジュール１４０に対して開かれた状態の本発明の好適な実施例の多機能周辺装置１００の側面図である。第１モジュール１２０が第２モジュール１４０に対して回転する時、トリガー部品１３０は、第１モジュール１２０とともに係合部材１５０から離れる。図１に示されるように、当初は突起部１３２に束縛されている係合部材１５０の端部１５１は、もはや束縛されないので、係合部材１５０は、バネ１５６の牽引力により矢印Ｉに示される方向（例えば時計回り）に自由に回転することができる。図２に示されるように、係合部材１５０の他方の端部１５２は、時計回りに回転した後、第３モジュール１６０に係合する。第３モジュール１６０は、係合部材１５０の端部１５２と係合する係合部１６２を有することが好ましい。第２モジュールの係合部材１５０を第３モジュール１６０の係合部１６２に係合することにより、第２モジュール１４０は、第１モジュール１２０を開ける過程において、第３モジュール１６０とロックすることができる。
【００１７】
図３は、第１モジュール１２０が第２モジュール１４０に対して開かれた状態の本発明の好適な実施例の多機能周辺装置１００のモジュール拡大図である。上述したように、第２モジュール１４０は、それぞれトリガー部品１３０の突起部１３２と扇形隆起１３４が貫くための２つの開口部１４１及び１４２を有する。図１と図２に示されるように、トリガー部品１３０が、第１モジュールとともに回転して第２モジュール１４０から出ると、封鎖板１５８は、バネ１５６の牽引力によって移動し、開口部１４１の底部に接触する。この時、扇形隆起１３４の一部は第１モジュール１２０と第２モジュール１４０の間で露出され、扇形隆起１３４のそれ以外の部分は第２モジュールの中に留まり開口部１４２を塞ぐ。その結果、多機能周辺装置１００の外形は、ホッチキスの針やクリップが装置内に落下して内部のモーターやギア群の動作に悪影響を与えてしまうような余分な穴を有しない。他方、扇形隆起１３４の一部は、第１モジュール１２０が開けられた後、第２モジュールの下にあるため、穴が露出されることを防ぐことができる。更に、スキャンされるべき書類の配置の位置的制限により、覆っているＡＤＦが書類を痛めてしまうことを防ぐことができる。
【００１８】
本実施例の第２モジュール１４０を開く過程において、第２モジュール１４０は、第１モジュール１２０が第２モジュール１４０から落ちることを防ぐように、第１モジュール１２０としっかりとロックすることができる。図４は、第２モジュール１４０が第３モジュール１６０に対して開かれた状態の本発明の好適な実施例の多機能周辺装置１００の側面図である。第２モジュール１４０が第３モジュール１６０に対して回転する時、作動部品１７０は、第２モジュール１４０とともに第３モジュール１６０から離れる。図１に示されるように、初めは作動部品１７０の端部１７１は、第２モジュール１４０の重さによって第３モジュール１６０に束縛されている。しかし、第２モジュール１４０が第３モジュール１６０に対して開かれた後は、第３モジュール１６０による束縛は無くなり、作動部品１７０の端部１７１は、バネ１７６の牽引力によって、矢印Ｊによって示される方向（例えば時計回り）に自由に回転することができる。図４に示されるように、作動部品１７０の他方の端部１７２が回転し連結部品１８０の摺動溝１８１を摺動する間に、作動部品１７０の端部１７１は、回転して第２モジュール１４０から突出する。従って、連結部品１８０の他方の端部１８２は、（図３に示されるように）トリガー部品１３０の溝１３６に差し込まれ、溝１３６に係合する。第２モジュール１４０の連結部品１８０が第１モジュール１２０のトリガー部品１３０に係合することにより、第２モジュール１４０は、第２モジュール１４０を開ける過程において第１モジュール１２０とロックすることができる。
【００１９】
上記設計を採用することにより、使用者の運用中に、余分な使用上の手順を必要とすることなしに、使用者の安全を確実にすることができる。例えば、使用者が第１モジュール（ＡＤＦ）を第２モジュール（スキャナー）に対して回転させる時、係合部材は、初めの束縛が無くなるので、第２モジュールを第３モジュールとロックするように第３モジュールと自動的に係合することができる。更に、使用者が第２モジュール（スキャナー）を第３モジュール（本体）に対して回転させる時、作動部品は、第３モジュールからの束縛が無くなるので、第２モジュールを第１モジュールとロックするように連結部品をトリガー部品に自動的に差し込み、連結部品をトリガー部品と自動的に係合させることができる。
【００２０】
ロック装置を有する多機能周辺装置とその運用方法は下記の長所を有する。
【００２１】
第１に、多機能周辺装置の運用中の使用者の安全を向上させることができる。それに加えて、運用中に使用者は、スイッチを使用することなくマニュアル運用に変更することができる。２つのオートとマニュアルの運用は、何らの危険なく、自動的に且つ敏感に切り替えられることができる。
【００２２】
第２に、多機能周辺装置の外形は、ホッチキスの針やクリップが装置内に落下して内部のモーターやギア群の動作に悪影響を与えてしまうような余分な穴を有しない。一方、扇形隆起の一部は、第１モジュールが開けられた後、第２モジュールの下にあるため、穴が露出されることを防ぐことができ、スキャンされるべき書類の配置位置の失敗によって覆っているＡＤＦが書類を痛めてしまうことを防ぐことができる。
【００２３】
第３に、本発明の多機能周辺装置は、少ない構成要素により容易に製造することができる。
【００２４】
尚、本発明は例によって好適な実施例について説明されたが、これのみに限定されるものではなく、種々の変形例や同様の配置や手順を含むことは勿論であり、添付の請求の範囲は、全てのそのような変形例や同様の配置や手順を含むように最も広く解釈されなければならない。
【図面の簡単な説明】
【００２５】
【図１】順に積置される第１モジュール、第２モジュール、及び第３モジュールを有する本発明の好適な実施例の多機能周辺装置の側面図
【図２】第１モジュールが第２モジュールに対して開かれた状態の本発明の好適な実施例の多機能周辺装置の側面図
【図３】第１モジュールが第２モジュールに対して開かれた状態の本発明の好適な実施例の多機能周辺装置のモジュール拡大図
【図４】第２モジュールが第３モジュールに対して開かれた状態の本発明の好適な実施例の多機能周辺装置の側面図
【符号の説明】
【００２６】
１００  多機能周辺装置
１２０  第１モジュール
１３０  トリガー部品
１３２  突起部
１３４  扇形隆起
１３６  溝
１４０  第２モジュール
１４１  開口部
１４２  開口部
１５０  係合部材
１５１  端部（一端）
１５２  端部（他端）
１５４  回動軸
１５６  バネ
１５８  封鎖板
１６０  第３モジュール
１６２  係合部
１７０  作動部品
１７１  端部（一端）
１７２  端部（他端）
１７４  回動軸
１７６  バネ
１８０  連結部品
１８１  摺動溝
１８１  端部（一端）
１８２  端部（他端）
【図１】
2008167392.tif 000003
【図２】
2008167392.tif 000004
【図３】
2008167392.tif 000005
【図４】
2008167392.tif 000006